(57)【特許請求の範囲】
【請求項１】
本体に対しヘッド部（２）を着脱自在に連結すると共に、本体側のモータ（３）の出力をヘッド部側の脱毛シリンダ（４）の回転軸（４０）に伝達して、脱毛シリンダ（４）を回転することによりムダ毛を引き抜く構成において、
モータ（３）の回転を回転軸（４０）に伝達する歯車列（３１，３２，３３，４１）を設け、この歯車列の一部の歯車を本体側に、残りの歯車をヘッド部側に、それぞれ取り付け、
さらに、本体（１）を密封構造に形成して内部に前記モータ（３）を収容すると共に、本体（１）の一部を凹ませてギア溝（１１）を形成し、
このギア溝（１１）に前記歯車列の本体側の歯車を収容し、モータ（３）の出力軸（３０）を本体（１）の壁面を貫通して外に出た先端部に前記ギア溝（１１）内の歯車（３１，３２）を連結し、
他方、ヘッド部側の歯車にはカバー（９）を被せ、本体側の歯車と噛み合う面のみ開口して開口部を形成し、
本体にヘッド部（２）を連結して歯車列を接続した状態でカバー（９）の開口部をギア溝（１１）に挿入してギア溝（１１）を閉じることを特徴とする電気脱毛器。
【請求項２】
前記ギア溝（１１）の開口部を切れ目の入った弾性体の膜で覆い、
この切れ目を介してギア溝にカバーの端部を挿入することを特徴とする請求項１記載の電気脱毛器。
【請求項３】
前記カバーの開口部をギア溝（１１）に挿入したときにできるギア溝（１１）の開口部とカバー（９）の間のギャップをパッキン材でシールすることを特徴とする請求項１記載の電気脱毛器。
【発明の詳細な説明】
【技術分野】
【０００１】
本発明は、ヘッド部に取り付けた脱毛ディスクを回転させてムダ毛を引き抜く電気脱毛器に関する。
【背景技術】
【０００２】
ムダ毛を引き抜いて除去する毛抜きは痛みを伴うが、カミソリで剃るのに比べて剃り残しがない分、仕上がりがきれいで、毛が生え変わるのも遅いので手軽にできる美肌処置として人気がある。
特に、ヘッド部に取り付けた脱毛ディスクを回転させてムダ毛を引き抜く電気脱毛器は短時間で大量のムダ毛を簡単に処理できるので多くのユーザに利用されている。
【０００３】
一方、ユーザが毛抜きを行う場所は衣服を脱いで肌を露出する風呂場などが圧倒的に多く、入浴中やシャワーを浴びながら脱毛したいという要望も多い。
しかしながら、従来の電気脱毛器は脱毛ディスクの駆動経路が複雑で防水が面倒なため十分な防水保護対策がなされておらず、これらの要望に応えることができないという問題があった。
【発明の開示】
【発明が解決しようとする課題】
【０００４】
解決しようとする問題点は、従来の電気脱毛器は十分な防水保護対策がなされていない点であり、本発明は簡単な防水方法で効果的な防水ができる電気脱毛器を提供することを目的になされたものである。
【課題を解決するための手段】
【０００５】
そのため本発明は、本体に対しヘッド部を着脱自在に連結すると共に、本体側のモータの出力をヘッド部側の脱毛シリンダの回転軸に伝達して、脱毛シリンダを回転することによりムダ毛を引き抜く構成において、モータの回転を回転軸に伝達する歯車列を設け、この歯車列の一部の歯車を本体側に、残りの歯車をヘッド部側に、それぞれ取り付け、さらに、本体を密封構造に形成して内部に前記モータを収容すると共に、本体の一部を凹ませてギア溝を形成し、このギア溝に前記歯車列の本体側の歯車を収容し、モータの出力軸を本体の壁面を貫通して外に出た先端部に前記ギア溝内の歯車を連結し、他方、ヘッド部側の歯車にはカバーを被せ、本体側の歯車と噛み合う面のみ開口して開口部を形成し、本体にヘッド部を連結して歯車列を接続した状態でカバーの開口部をギア溝に挿入してギア溝を閉じることを最も主要な特徴とする。
【発明の効果】
【０００６】
本発明は、モータ（３）の回転を回転軸（４０）に伝達する歯車列（３１，３２，３３，４１）を設け、この歯車列の一部の歯車を本体側に、残りの歯車をヘッド部側に、それぞれ取り付け、
さらに、本体（１）を密封構造に形成して内部に前記モータ（３）を収容すると共に、本体（１）の一部を凹ませてギア溝（１１）を形成し、
このギア溝（１１）に前記歯車列の本体側の歯車を収容し、モータ（３）の出力軸（３０）を本体（１）の壁面を貫通して外に出た先端部に前記ギア溝（１１）内の歯車（３１，３２）を連結し、
他方、ヘッド部側の歯車にはカバー（９）を被せ、本体側の歯車と噛み合う面のみ開口して開口部を形成し、
本体にヘッド部（２）を連結して歯車列を接続した状態でカバー（９）の開口部をギア溝（１１）に挿入してギア溝（１１）を閉じるので、外部から本体内や歯車列に侵入する水や毛などを完全に防ぐことができるようになる。その結果、入浴中やシャワーを浴びながらでも容易に電気脱毛器を使用できる。
【発明を実施するための最良の形態】
【０００７】
以下、本発明の実施の形態について説明する。
【０００８】
図１に、本発明を実施した第１実施例の電気脱毛器の正面断面図を示す。
第１実施例の電気脱毛器は、本体１に対してヘッド部２を着脱自在に取り付ける構成で、本体１にはモータ３を内蔵し、ヘッド部２には横軸回転する脱毛シリンダ４が取り付けてある。
モータ３軸には出力歯車３１が固着され、中間歯車３２、３３を介して脱毛シリンダ４の軸に固着した入力歯車４１に接続されている。
これにより、モータ３の回転を入力歯車４１に伝達して脱毛シリンダ４を駆動するようになっている。
出力歯車３１と中間歯車３２は、本体１の上面に凹設したギア溝１１の中に収容されており、中間歯車３２の上端を本体１の上面に露出させている。
脱毛シリンダ４は上方の間隔が下方より狭くなるように傾斜させた複数の脱毛ディスク５を軸通し、この脱毛ディスク５の間隔が回転により上方において閉じたときにムダ毛を掴んで引き抜き、下方において開いたときにムダ毛を放すようになっている。
【０００９】
ヘッド部２と本体１は、図２に示すように、ヘッド部２の底面に凸設した板状のフック２１を本体１の上面に刻成した開閉自在の係止溝１２に挿嵌して結合するようになっている。
係止溝１２の開閉は図の矢印方向にバネで付勢されている可動板１３によって行われ、ヘッド部２を本体１から取り外すときは、本体１の正面に突出した可動板１３の先端を押すことにより、係止溝１２を開いてフック２１のロックを解除できるようになっている。
【００１０】
モータ３は密封構造の本体１内に収容され、モータ３軸はギア溝１１の壁面を貫通する軸受６を通して先端をギア溝１１の中に突出している。
また、軸受６は外部からの水漏れや毛などの侵入を防ぐようにパッキン材などを用いてシールされている。
このように構成することで、本体１内にはモータ３軸以外は内部に連通する部分はなく、モータ３軸の軸受６はシールされているので水や毛などが入らないようになっている。
【００１１】
図１の電気脱毛器は、本体１に内蔵するモータ３を横置きに設置しているが、図３に示すように、モータ３を縦置きに設置してもよい。
この場合、モータ３軸と脱毛シリンダ４の軸が直角に交差するので、ベベルギア３４、３５などを用いてモータ３の横方向の回転を脱毛シリンダ４の縦方向の回転に変換する必要がある。
そのため、縦置きのモータ３の回転をベベルギア３４、３５、出力歯車３１、中間歯車３２を介して入力歯車４１に伝達し、脱毛シリンダ４を駆動する。
モータ３は密封構造の本体１内に収容され、モータ３軸は本体１の上面を貫通する軸受６を通して先端を本体１の上面に突出している。
また、軸受６は外部からの水漏れや毛などの侵入を防ぐようにパッキン材などを用いてシールされている。
このように構成することで、モータ３軸の貫通個所をフラットな本体１の上面の中心に持ってくることができるので、軸受６の取り付けが容易になる。
【００１２】
図４に、本発明を実施した第２実施例の電気脱毛器の正面断面図を示す。
第２実施例の電気脱毛器は、誘導モータ７の回転をベベルギア３４、３５、出力歯車３１、中間歯車３２を介して入力歯車４１に伝達し、脱毛シリンダ４を駆動するようになっている。
誘導モータ７は、ロータ７１とステータ７２を分離して本体１の上面に凹設したロータ溝１４の中にロータ７１を収容し、密封構造の本体１内にステータ７２を収容している。
このため、ロータ７１とロータ７１の外周を取り囲むステータ７２の間はロータ溝１４を形成する本体１の外壁で隔てられている。
また、ロータ７１の外周の回転運動部分は外部からの水漏れや毛などの侵入を防ぐようにパッキン材などを用いてシールされている。
ロータ７１は永久磁石や強磁性体からなり、ステータ７１を形成する複数のコイルがつくる回転磁界に引かれて回転するようになっている。
このように構成することで、ステータ７２を収容している本体１内には外部に連通する部分はなく完全密封され、ロータ７１の外周の回転運動部分はシールされているので水や毛などが入らないようになっている。
図４の電気脱毛器は、本体１に内蔵する誘導モータ７を縦置きに設置しているが、誘導モータ７を横置きに設置してもよい。
【００１３】
図５に、本発明を実施した第３実施例の電気脱毛器の正面断面図を示す。
第３実施例の電気脱毛器は、ソレノイド８のプランジャ８１をクランクシャフト８２に接続してプランジャ８１の往復運動をクランクシャフト８２の回転運動に変換する。
クランクシャフト８２には出力歯車３１が固着され、中間歯車３２を介して脱毛シリンダ４の軸に固着した入力歯車４１に接続されている。
これにより、クランクシャフト８２の回転を入力歯車４１に伝達して脱毛シリンダ４を駆動するようになっている。
なお、クランクシャフト８２の出力歯車３１の反対側にはフライホイール８３を固着して回転を円滑にしている。
ソレノイド８は、プランジャ８１とコイル８４を分離して本体１の上面に凹設したプランジャ溝１５の中にプランジャ８１を収容し、密封構造の本体１内にコイル８４を収容している。
このため、プランジャ８１とプランジャ８１の外周を取り囲むコイル８４の間はプランジャ溝１５を形成する本体１の外壁で隔てられている。
また、プランジャ８１の外周の往復運動部分は外部からの水漏れや毛などの侵入を防ぐようにパッキン材などを用いてシールされている。
このように構成することで、コイル８４を収容している本体１内には外部に連通する部分はなく完全密封され、プランジャ８１の外周の往復運動部分はシールされているので水や毛などが入らないようになっている。
図５の電気脱毛器は、本体１に内蔵するソレノイド８を縦置きに設置しているが、ソレノイド８を横置きに設置してもよい。
【００１４】
図６に、本発明を実施した第４実施例の電気脱毛器の正面断面図を示す。
第４実施例の電気脱毛器は、第１実施例の電気脱毛器と同様にモータ３軸に出力歯車３１が固着され、中間歯車３２、３３を介して脱毛シリンダ４の軸に固着した入力歯車４１に接続されている。
出力歯車３１と中間歯車３２は、本体１の上面に凹設したギア溝１１の中に収容されており、中間歯車３２の上端を本体１の上面に露出させている。
中間歯車３３と入力歯車４１にはギアカバー９を取り付けて中間歯車３２との噛合面を除く全面を遮蔽している。
【００１５】
ギア溝１１は、図７に示すように、図の矢印方向にバネで付勢されている可動板１６によって開閉自在に構成され、ヘッド部２を本体１に結合して中間歯車３２に中間歯車３３を噛合するときは、本体１の側面に突出した可動板１６の先端を押すことにより、ギア溝１１の開口部と可動板１６の開口部が合わさって口が開き、ギア溝１１にギアカバー９を挿入できるようになっている。
【００１６】
ギア溝１１にギアカバー９を挿入したときにできるギア溝１１の開口部とギアカバー９の間のギャップは外部からの水漏れや毛などの侵入を防ぐようにパッキン材などを用いてシールされるようになっている。
このように構成することで、本体１内にはギア溝１１の開口部とギアカバー９の間のギャップ以外は内部に連通する部分はなく、ギア溝１１の開口部とギアカバー９の間のギャップはパッキン材などでシールされるので水や毛などが入らないようになっている。
【００１７】
図６の電気脱毛器は、中間歯車３３と入力歯車４１よりなる複数の歯車にギアカバー９を取り付けているが、図８に示すように、中間歯車３２に噛合する中間歯車３３との間に別の中間歯車３６を介在させて中間歯車３２、３３を接続し、単一の中間歯車３６にギアカバー９を取り付けるようにしてもよい。
これにより、ギアカバー９を小さくして防水面積を縮小することができる。
また、ギア溝１１の開口部をゴムなどの膜状の弾性材料で被覆し、この膜に切れ目を入れてそこからギアカバー９を挿入するようにしてもよい。
これにより、複雑な開閉機構を必要としない簡単な構造でギア溝１１の開口部を防水できるようになる。
【図面の簡単な説明】
【００１８】
【図１】本発明を実施した第１実施例の電気脱毛器の正面断面図である。
【図２】ヘッド部を本体に結合する方法の説明図である。
【図３】モータを縦置きに設置した第１実施例の電気脱毛器の正面断面図である。
【図４】本発明を実施した第２実施例の電気脱毛器の正面断面図である。
【図５】本発明を実施した第３実施例の電気脱毛器の正面断面図である。
【図６】本発明を実施した第４実施例の電気脱毛器の正面断面図である。
【図７】ギア溝の開口部を開閉する方法の説明図である。
【図８】ギアカバーを単一のギアに取り付けた電気脱毛器の正面断面図である。
【符号の説明】
【００１９】
１            本体
１１          ギア溝
１２          係止溝
１３          可動板
１４          ロータ溝
１５          プランジャ溝
１６          可動板
２            ヘッド部
２１          フック
３            モータ
３１          出力歯車
３２          中間歯車
３３          中間歯車
３４          ベベルギア
３５          ベベルギア
３６          中間歯車
４            脱毛シリンダ
４１          入力歯車
５            脱毛ディスク
６            軸受
７            誘導モータ
７１          ロータ
７２          ステータ
８            ソレノイド
８１          プランジャ
８２          クランクシャフト
８３          フライホイール
８４          コイル
９            ギアカバー
【図１】
0004224101.tif 000002
【図２】
0004224101.tif 000003
【図３】
0004224101.tif 000004
【図４】
0004224101.tif 000005
【図５】
0004224101.tif 000006
【図６】
0004224101.tif 000007
【図７】
0004224101.tif 000008
【図８】
0004224101.tif 000009
【図９】
0004224101.tif 000010
【図１０】
0004224101.tif 000011
【図１１】
0004224101.tif 000012